(57)【要約】【課題】耐衝撃性を有するとともに、駆動機構の駆動時に発生する騒音を低減することが可能な撮像装置を提供する。【解決手段】本発明の撮像装置は、圧電素子やステッピングモータなどを用いた駆動機構が固定される駆動機構固定部と、前記駆動機構を覆うケースに固定されるケース固定部と、前記駆動機構固定部が前記ケース固定部に圧接して固定される圧接状態と前記駆動機構固定部が前記ケース固定部に前記圧接状態より緩やかに押圧される圧接解除状態とを切り換えることが可能な圧接手段と、を備え、前記圧接手段は、前記駆動機構が動作中のときは圧接解除状態となり、前記駆動機構が停止中のときは圧接状態となるものである。【選択図】図２
2008286991.tif 000002
【特許請求の範囲】
【請求項１】
レンズ移動用の駆動部と、前記駆動部の動作状態に応じて、前記駆動部を撮像装置のケースに圧接して固定する圧接状態と、前記圧接状態を解除する圧接解除状態とを切り換えることが可能な圧接手段を備える撮像装置。
【請求項２】
レンズ移動用の駆動機構と、
前記駆動機構が固定される駆動機構固定部と、
前記駆動機構をケースに固定するケース固定部と、
前記駆動機構固定部が前記ケース固定部に圧接して固定される圧接状態と、前記圧接状態を解除する圧接解除状態とを切り換えることが可能な圧接手段と、
を備え、
前記圧接手段は、前記駆動機構が動作中のときは圧接解除状態となり、前記駆動機構が停止中のときは圧接状態となる撮像装置。
【請求項３】
前記駆動機構固定部は、振動減衰材を介して前記ケース固定部と連結している請求項２に記載の撮像装置。
【請求項４】
前記圧接手段は、
前記駆動機構固定部と連結するとともに、第１の電磁磁石が設置される移動板と、
前記移動板と連結する弾性部材の一端が固着されるともに、前記第１の電磁磁石と対向する位置に第２の電磁磁石が設置される圧接手段固定部と、
前記第１の電磁磁石と前記第２の電磁磁石とに電気信号を入力することで、前記圧接状態と前記圧接解除状態とを切り換える電気回路と、
を備える請求項２又は請求項３に記載の撮像装置。
【請求項５】
前記圧接手段は、
前記駆動機構固定部と振動減衰材を介して連結する固定板と、
前記固定板と振動減衰材を介して連結する圧接手段固定部と、
を備え、
前記固定板は、入力電圧の有無により弾性力が変化する材料で形成されており、
前記固定板に電気信号を入力することで、前記圧接状態と前記圧接解除状態とを切り換える電気回路を有する請求項２又は請求項３に記載の撮像装置。
【請求項６】
前記圧接手段は、
前記駆動機構固定部と連結する移動板と、
前記移動板と連結する弾性部材の一端が固着されるともに、前記移動板と先端が接触する形状記憶合金が設置される圧接手段固定部と、
前記形状記憶合金に電気信号を入力することで、前記圧接状態と前記圧接解除状態とを切り換える電気回路と、
を備える請求項２又は請求項３に記載の撮像装置。
【請求項７】
前記駆動機構は圧電素子を用いたものである請求項２乃至６のいずれかに記載の撮像装置。
【請求項８】
前記駆動機構はステッピングモータを用いたものである請求項２乃至６のいずれかに記載の撮像装置。
【請求項９】
前記駆動機構はＶＣＭ（ボイスコイルモータ）を用いたものである請求項２乃至６のいずれかに記載の撮像装置。
【発明の詳細な説明】
【技術分野】
【０００１】
本発明は、携帯電話やデジタルカメラ等の電子機器に搭載する撮像装置に関するものである。
【背景技術】
【０００２】
近年、携帯電話やデジタルカメラ等の電子機器に搭載されるカメラ機能は、高機能化が進み、オートフォーカスやズーミング等の機能を備えたものが提供されている。
【０００３】
オートフォーカスやズーミング等の機能を設けるため、撮像装置はレンズを光軸方向に移動させる駆動機構を有している。しかし、駆動機構は駆動時に騒音が発生する場合が多く、撮像装置は、特に撮像装置が搭載される電子機器が音データも含めて動画データを収録する録画モードのときに騒音を抑える必要がある。
【０００４】
そこで、駆動機構が発生する騒音対策が施された撮像装置として、例えば特許文献１の撮像装置が提案されている。
【０００５】
特許文献１に記載の撮像装置は、図７に示すように、アクチュエータとしてステッピングモータ１０２を使用し、このステッピングモータ１０２を連結板１０３を介して取付板１０４に取付け、この取付板１０４を鏡胴１０９に固定する際に取付板１０４と鏡胴１０９の間に振動減衰材１１３を挟みこんでビス１１４により固定する構造となっている。
【０００６】
このように、ステッピングモータ１０２を固定する取付板１０４と鏡胴１０９との間に振動減衰材１１３を挟みこむことにより、モータでの振動を減衰させ騒音を低減するものである（特許文献１参照）。
【０００７】
また、駆動機構が発生する騒音対策が施された撮像装置として、特許文献２の撮像装置が提案されている。
【０００８】
また、特許文献２に記載の撮像装置は、図８に示すように、被駆動部材であるレンズ鏡筒７１を支持する支持体７２の摺動嵌合部７２ａ、７２ｂが駆動軸７３に摺動自在に摩擦接触して嵌合している。また、駆動軸７３は、フレーム７７の支持部７５，７６にて変位自在に支持されている。厚み方向に変位する圧電素子７８の一端は駆動軸７３の軸方向端部に固定され、また圧電素子７８の厚み方向の変位をブレーズ波形にすることによりレンズ鏡胴が移動する構成となっている。
【０００９】
このように、アクチュエータとして圧電素子を採用しているため、ステッピングモータを用いる場合に比べて発生する騒音自体が小さくなるものである（特許文献２参照）。
【特許文献１】特開平５−２８１４４７号公報
【特許文献２】特開平１０−０９０５８４号公報
【発明の開示】
【発明が解決しようとする課題】
【００１０】
ところで、一般に撮像装置は、携帯電話やビデオカメラなどのように携帯可能な電子機器に搭載されることが多く、騒音対策（耐振動性）のほかにも落下対策（耐衝撃性）も要求されている。
【００１１】
しかしながら、特許文献１に記載の撮像装置の構成では、取付板１０４と鏡胴１０９との間に振動減衰材１１３を挟みこんでいるため、その箇所の剛性が低く、使用者が不意に撮像装置を落下してしまった場合に駆動機構が損傷してしまう場合がある。すなわち、耐衝撃性の観点からは十分な構成ではない。
【００１２】
剛性を上げるために、振動減衰材１１３と鏡胴１０９と取付板１０４を剛結合して取り付ける手段もあるが、この場合、振動減衰材１１３が圧縮され減衰効果が小さくなってしまう。
【００１３】
また、特許文献２に記載の撮像装置は、圧電素子の定期的な伸縮運動を利用するものであり、この定期的な伸縮運動による振動が駆動機構を設置するケースまで伝わり、そのケースが共振して大きな騒音を発生してしまう場合がある。
【００１４】
この点への対策として、振動減衰材を設置して振動を減衰させる手段もあるが、この場合、振動減衰材を設置した箇所の剛性が低くなり、使用者が不意に撮像装置を落下してしまった場合に駆動機構が損傷してしまう場合がある。
【００１５】
本発明は、上記課題を鑑みてなされたものであり、耐衝撃性を有するとともに、駆動機構の駆動時に発生する騒音を低減することが可能な撮像装置を提供することを目的とする。
【課題を解決するための手段】
【００１６】
本発明の撮像装置は、レンズ移動用の駆動部と、前記駆動部の動作状態に応じて、前記駆動部を撮像装置のケースに圧接して固定する圧接状態と、前記圧接状態を解除する圧接解除状態とを切り換えることが可能な圧接手段を備える。
【００１７】
また、本発明の撮像装置は、レンズ移動用の駆動機構と、前記駆動機構が固定される駆動機構固定部と、前記駆動機構をケースに固定するケース固定部と、前記駆動機構固定部が前記ケース固定部に圧接して固定される圧接状態と、前記圧接状態を解除する圧接解除状態とを切り換えることが可能な圧接手段と、を備え、前記圧接手段は、前記駆動機構が動作中のときは圧接解除状態となり、前記駆動機構が停止中のときは圧接状態となるものである。
【００１８】
この構成により、例えば、撮像装置を搭載する電子機器がビデオカメラであって、そのビデオカメラが、音データも含めて動画データを収録する動作の場合は、圧接解除状態とすることで振動を減衰して騒音を防ぐことができる。また、ビデオカメラが撮像装置を動作させないモードの場合や、音収録を行わないモードの場合は、撮像装置を圧接状態とすることで剛性が高い状態となるため落下等の不意の衝撃に備えることができる。なお圧接解除状態とは、前記圧接状態より緩やかに前記駆動部を前記ケースに押圧する状態をいう。
【００１９】
また、本発明の撮像装置は、前記駆動機構固定部が、振動減衰材を介して前記ケース固定部と連結しているものとしても良い。
【００２０】
この構成により、さらに、駆動部から発生する振動を減衰することができる
【００２１】
また、本発明の撮像装置は、前記圧接手段が、前記駆動機構固定部と連結するとともに、第１の電磁磁石が設置される移動板と、前記移動板と連結する弾性部材の一端が固着されるともに、前記第１の電磁磁石と対向する位置に第２の電磁磁石が設置される圧接手段固定部と、前記第１の電磁磁石と前記第２の電磁磁石とに電気信号を入力することで、前記圧接状態と前記圧接解除状態とを切り換える電気回路とを備えるものとしても良い。
【００２２】
また、本発明の撮像装置は、前記圧接手段が、前記駆動機構固定部と振動減衰材を介して連結する固定板と、前記固定板と振動減衰材を介して連結する圧接手段固定部と、を備え、前記固定板は、入力電圧の有無により弾性力が変化する材料で形成されており、前記固定板に電気信号を入力することで、前記圧接状態と前記圧接解除状態とを切り換える電気回路を有するものとしても良い。
【００２３】
また、本発明の撮像装置は、前記圧接手段が、前記駆動機構固定部と連結する移動板と、前記移動板と連結する弾性部材の一端が固着されるともに、前記移動板と先端が接触する形状記憶合金が設置される圧接手段固定部と、前記形状記憶合金に電気信号を入力することで、前記圧接状態と前記圧接解除状態とを切り換える電気回路とを備えるものとしても良い。
【００２４】
また、本発明の撮像装置は、前記駆動機構が圧電素子を用いたものであってもよい。
【００２５】
また、本発明の撮像装置は、前記駆動機構がステッピングモータを用いたものであってもよい。
【００２６】
また、本発明の撮像装置は、前記駆動機構はＶＣＭ（ボイスコイルモータ）を用いたものであってもよい。
【発明の効果】
【００２７】
本発明によれば、耐衝撃性を有するとともに、駆動機構の駆動時に発生する騒音を低減することが可能な撮像装置を提供することができる。
【発明を実施するための最良の形態】
【００２８】
以下、本発明の実施の形態について、図面を参照して詳細に説明する。
【００２９】
（実施の形態１）
図１は、本実施の形態１の撮像装置２００の断面図である。図２は、本実施の形態１の撮像装置２００の要部断面図である。図３は、本実施の形態１の撮像装置２００の圧接状態が解除された状態を説明する図である。
【００３０】
図１に示すように、本実施の形態１の撮像装置２００は、レンズ移動用の駆動機構２０２と、前記駆動機構２０２が固定される駆動機構固定部と、前記駆動機構２０２をケース２０３に固定するケース固定部と、前記駆動機構固定部が前記ケース固定部に圧接して固定される圧接状態と、前記圧接状態を解除する圧接解除状態とを切り換えることが可能な圧接機構（手段）２０６と、を備え、前記圧接手段２０６は、前記駆動機構２０２が動作中のときは圧接解除状態となり、前記駆動機構が停止中のときは圧接状態となるものである。すなわち、レンズ保持部２０１と、レンズ保持部２０１を光軸方向に移動させる駆動機構２０２と、レンズ保持部２０１と駆動機構２０２と圧接機構２０６とが内部に設置されるケース２０３（いわゆる鏡筒）と、レンズを介して入力された光信号を電気信号に変換する画像処理ユニット２０４とを備えるものである。
【００３１】
画像処理ユニット２０４は、本体基板２０５に実装される立体回路基板２０４ａと、立体回路基板２０４ａに装着される固体撮像素子２０４ｂとにより構成されている。固体撮像素子２０４ｂは、半導体素子の製造技術を用いて集積回路化された光電変換素子であって、光を検出して電荷を発生させるフォトダイオードが配列されたものである。
【００３２】
図２は、本実施の形態１の撮像装置２００の要部断面図である。上述のように、撮像装置２００は、ケース２０３内に（図２では図示せず）、レンズ４を保持するレンズ保持部２０１と、レンズを光軸方向に移動させる駆動機構２０２と、撮像装置の動作状態に応じて圧接する力が変化する圧接機構２０６とを備えている。
【００３３】
図２に示すように、レンズ保持部２０１は、レンズ４と、レンズ４を内部に保持するとともに駆動機構２０２の駆動軸１に対して摺動可能な程度に嵌め込まれている保持部材３とにより構成される。レンズ４は、例えば、中央部が縁部より厚い凸形のレンズであって、ケース２０３の開口部を通過して入射してくる光を固体撮像素子２０２ｂの受光部に導くものである。
【００３４】
駆動機構２０２は、上述の駆動軸１と圧電素子２とにより構成されるものである。駆動軸１は、例えば、カーボン長繊維を軸方向に整列させ、バインダーとしてエポキシ樹脂で固めて耐磨耗性を向上して形成したものを用いる。圧電素子２は、例えば、チタン酸ジルコン酸鉛（以下、ＰＺＴ）による圧電素子をスタック（堆積）させて構成されるものを用いる。
【００３５】
このように、駆動機構２０２は、圧電素子の高速応答と摩擦を利用したデバイスであり、駆動回路により鋸歯状波などの駆動電圧を印加することにより、保持部材３を駆動軸１に沿って動かすことが可能なものである。
【００３６】
圧接機構２０６は、ケース２０３に固定されるケース固定部５と、駆動機構２０２が固定される駆動機構固定部６と、駆動機構固定部６と振動減衰材７を介して連結する移動板１０と、電磁マグネット９が設置されるとともに移動板１０と連結するバネ１１の一端が固着される圧接手段固定部１２と、電磁マグネット９に電気信号を入力して電磁マグネット９の動作を制御する電気回路１３とを備えるものである。
【００３７】
振動減衰材７としては、例えば、ゴム系クッション材、ゲル系クッション材などがあげられる。
【００３８】
ケース固定部５は圧接面８を有しており、その圧接面８と駆動機構固定部６の一方の面とが振動減衰材７を介して接触している。また、駆動機構固定部６の他方の面と移動板１０の一方の面とが振動減衰材７を介して接触している。
【００３９】
また、移動板１０の他方の面と圧接手段固定部１２との間には、バネ１１が連結してある。また、移動板１０の他方面側には、電磁マグネット９ａが設置してあり、電磁マグネット９ｂは、圧接手段固定部１２上で電磁マグネット９ａと対向する位置に設置されている。また、圧接手段固定部１２は、ケース固定部５と同様にケース２０３（鏡筒）に固定されている。
【００４０】
（圧接状態）
このように構成された撮像装置２００は、図２に示すように、電気回路１３からの入力信号がない場合は、圧接手段固定部１２に一端が固定されたバネ１１が、移動板１０をケース固定部５側に押した状態となっている。すなわち、移動板１０は、振動減衰材７を介してケース固定部５側に圧接して固定されている。また、移動板１０とケース固定部５との間に設置されている駆動機構固定部６も同様に、振動減衰材７を介してケース固定部５側に圧接して固定されている。換言すれば、圧接機構２０６によって、駆動機構２０２がケース２０３に対して高い剛性を持つ状態で圧接された状態となっている。
【００４１】
このように撮像装置２００を圧接状態にすることで、駆動機構２０２が高い剛性でケース２０３に圧接・固定されるので、不意の落下等による衝撃や振動に対する耐強度が向上し、駆動機構２０２の損傷を避けることができる。
【００４２】
（圧接解除状態）
図３は、圧接状態が解除された状態を説明する図である。
図３に示すように、本実施の形態１の撮像装置２００は、電気回路１３から信号が入力されると電磁マグネット９ａと電磁マグネット９ｂとが互いに引き合う方向に力が働く。この力は、バネ１１が移動板１０をケース固定部５方向に押し出す力より大きくなるように設計してあるため、電磁マグネット９ａと電磁マグネット９ｂとが接近または接触する。
【００４３】
そうすると、上述の圧接状態と比べて、電磁マグネット９ａが設置されている移動板１０の位置は、電磁マグネット９ｂが設置されている圧接手段固定部１２側に移動する。
【００４４】
このようにして、移動板１０とケース固定部５との間での圧接状態が緩和（解除）され、同時に、ケース固定部５と駆動機構固定部６との間での圧接状態も緩和（解除）される。すなわち、上述の圧接状態よりも低い剛性で、圧接機構２０６により駆動機構２０２がケース２０３に圧接された状態となるものである。
【００４５】
このように撮像装置２００を圧接解除状態とすることで、駆動機構２０２が動作することにより発生する振動を振動減衰材７で減衰することができ、ケース固定部５に伝わる振動を小さくすることができる。よって、ケース２０３が共振等をして騒音を発生するのを防ぐことができる。
【００４６】
なお、電子回路１３が電磁マグネットの動作を制御するタイミング、すなわち、圧接状態と圧接解除状態を切り換えるタイミングについては、撮像装置２００を搭載する電子機器の動作状態を考慮して決定すれば良い。
【００４７】
例えば、撮像装置２００を搭載する電子機器がビデオカメラであって、そのビデオカメラが、音データも含めて動画データを収録する動作の場合は、騒音防止の観点から撮像装置２００を圧接解除状態とすれば良い。
【００４８】
また、ビデオカメラが撮像装置２００を動作させないモードの場合や、音収録を行わないモードの場合は、耐衝撃性の観点から、撮像装置２００を圧接状態とすれば良い。
【００４９】
（実施の形態２）
図４は、本実施の形態２の撮像装置３００の要部断面図である。
なお、以下の説明では、上述した構成要素と同一の構成要素には同一の符号を付し、その説明を一部省略する。
【００５０】
上述の実施の形態１の撮像装置２００の圧接機構では、バネ１１と電磁マグネット９等を用いたが、本実施の形態２の撮像装置３００では、それらを用いず、入力電圧の有無により弾性力（バネ定数）が変化する材質で構成した固定板１４を用いる点が、実施の形態１とは異なる。
【００５１】
図４に示すように、圧接機構３０６は、ケース２０３に固定されるケース固定部５と、駆動機構２０２が固定される駆動機構固定部６と、駆動機構固定部６と振動減衰材７を介して連結する固定板１４と、固定板１４と振動減衰材７を介して連結する圧接手段固定部１２と、固定板１４に電気信号を入力して固定板１４の弾性力を制御する電気回路３１３とを備えるものである。
【００５２】
ケース固定部５は圧接面８を有しており、その圧接面８と駆動機構固定部６の一方の面とが振動減衰材７を介して連結している。また、駆動機構固定部６の他方の面と固定板１４の一方の面とが振動減衰材７を介して連結している。また、固定板１４の他方の面と圧接手段固定部１２が振動減衰材７を介して固定板１４が設置されている。また、圧接手段固定部１２は、ケース固定部５と同様にケース２０３（鏡筒）に固定されている。
【００５３】
固定板１４は、入力電圧の有無により弾性力（バネ定数）が変化する材料あるいは、形状が変化する材料などを用いて形成してあり、例えば、形状記憶ポリマー材などが適用可能である。ここでは、入力電圧がある場合に弾性力が低下する材料を用いたものとして説明する。
【００５４】
（圧接状態）
このように構成された撮像装置３００は、図４に示すように、電気回路３１３からの入力信号がない場合は、固定板１４の弾性力が大きい状態となる。このとき、固定板１４は、駆動機構固定部６を、振動減衰材７を介してケース固定部５側に圧接して固定している。換言すれば、圧接機構３０６によって、駆動機構２０２がケース２０３に対して高い剛性を持つ状態で圧接された状態となっている。
【００５５】
このように撮像装置３００を圧接状態にすることで、駆動機構２０２が高い剛性でケース２０３に圧接・固定されるので、不意の落下等による衝撃や振動に対する耐強度が向上し、駆動機構２０２の損傷を避けることができる。
【００５６】
（圧接解除状態）
また、撮像装置３００は、電気回路３１３からの入力信号が有る場合は、固定板１４の弾性力が小さい状態となる。よって、固定板１４と駆動機構固定部６との間での圧接状態が緩和（解除）され、同時に、ケース固定部５と駆動機構固定部６との間での圧接状態も緩和（解除）される。すなわち、上述の圧接状態よりも低い剛性で、圧接機構３０６により駆動機構２０２がケース２０３に圧接された状態となるものである。
【００５７】
このように撮像装置３００を圧接解除状態とすることで、駆動機構２０２が動作することにより発生する振動を振動減衰材７で減衰することができ、ケース固定部５に伝わる振動を小さくすることができる。よって、ケース２０３が共振等をして騒音を発生するのを防ぐことができる。
【００５８】
（実施の形態３）
図５は、本実施の形態３の撮像装置４００の要部断面図である。図６は、本実施の形態３の撮像装置４００の圧接状態が解除された状態を説明する図である。なお、以下の説明では、上述した構成要素と同一の構成要素には同一の符号を付し、その説明を一部省略する。
【００５９】
上述の実施の形態１の撮像装置２００の圧接機構では、電磁マグネット９を用いたが、本実施の形態３の撮像装置４００では、それを用いず、入力電圧の有無により形状が変化する形状記憶合金を用いる点が、実施の形態１とは異なる。
【００６０】
圧接機構４０６は、ケース２０３に固定されるケース固定部５と、駆動機構２０２が固定される駆動機構固定部６と、駆動機構固定部６と振動減衰材７を介して連結する移動板１０と、形状記憶合金１５が設置されるとともに移動板１０と連結するバネ１１の一端が固着される圧接手段固定部１２と、形状記憶合金１５に電気信号を入力して形状記憶合金１５の形状を制御する電気回路４１３とを備えるものである。
【００６１】
ケース固定部５は圧接面８を有しており、その圧接面８と駆動機構固定部６の一方の面とが振動減衰材７を介して連結している。また、駆動機構固定部６の他方の面と移動板１０の一方の面とが振動減衰材７を介して接触している。
【００６２】
また、移動板１０の他方の面と圧接手段固定部１２との間には、バネ１１が連結してある。また、圧接手段固定部１２で移動板１０と対向する面上には、形状記憶合金１５が設けられている。また、この形状記憶合金１５の先端部は、移動板１０の他方の面と接触している。また、圧接手段固定部１２は、ケース固定部５と同様にケース２０３（鏡筒）に固定されている。
【００６３】
形状記憶合金１５は、入力電圧の大きさあるいは有無により形状が変化するものであり、例えば、Ｔｉ−Ｎ合金などが適用可能である。ここで、形状記憶合金１５は、入力電圧がない場合には図５に示す第１形状（大きい形状）であり、入力電圧がある場合には図６に示す第２形状（小さい形状）に変形するものとして説明する。
【００６４】
（圧接状態）
このように構成された撮像装置４００は、図５に示すように、電気回路４１３からの入力信号がない場合は、形状記憶合金１５が第１形状であり、移動板１０をケース固定部５側に押圧する。なお、本実施の形態３の撮像装置４００では、圧接手段固定部１２に一端が固定されたバネ１１が、移動板１０を圧接手段固定部１２側に引く方向に力が働くようにバネ１１の長さを設計するが、このバネ１１による弾性力によっても形状記憶合金１５の形状は変化せず、形状記憶合金１５により移動板１０をケース固定部５側に押圧している状態となっている。
【００６５】
よって、形状記憶合金１５の先端部により押圧された移動板１０は、振動減衰材７を介してケース固定部５側に圧接して固定されている。また、移動板１０とケース固定部５との間に設置されている駆動機構固定部６も同様に、振動減衰材７を介してケース固定部５側に圧接して固定されている。換言すれば、圧接機構４０６によって、駆動機構２０２がケース２０３に対して高い剛性で圧接された状態となっている。
【００６６】
このように撮像装置４００を圧接状態にすることで、駆動機構２０２が高い剛性でケース２０３に圧接・固定されるので、不意の落下等による衝撃や振動に対する耐強度が向上し、駆動機構２０２の損傷を避けることができる。
【００６７】
（圧接解除状態）
図６は、圧接状態が解除された状態を説明する図である。
図６に示すように、本実施の形態１の撮像装置４００は、電気回路４１３から信号が形状記憶合金１５に入力されると形状記憶合金１５の形状が縮小形状（第２形状）になる。そうすると、バネ１１の弾性力により移動板１０が、上述の圧接状態の位置と比べて、圧接手段固定部１２側に移動する。
【００６８】
このようにして、移動板１０とケース固定部５との間での圧接状態が緩和（解除）され、同時に、ケース固定部５と駆動機構固定部６との間での圧接状態も緩和（解除）される。すなわち、上述の圧接状態よりも低い剛性で、圧接機構４０６により駆動機構２０２がケース２０３に圧接された状態となるものである。
【００６９】
このように撮像装置４００を圧接解除状態とすることで、駆動機構２０２が動作することにより発生する振動を振動減衰材７で減衰することができ、ケース固定部５に伝わる振動を小さくすることができる。よって、ケース２０３が共振等をして騒音を発生するのを防ぐことができる。
【００７０】
なお、本発明において、駆動機構としては圧電素子やステッピングモータを用いたものの外、ＶＣＭ（ボイスコイルモータ）を用いたものであってもよい。
【産業上の利用可能性】
【００７１】
本発明の撮像装置は、耐衝撃性を有するとともに、駆動機構の駆動時に発生する騒音を低減することが可能な撮像装置として有用である。
【図面の簡単な説明】
【００７２】
【図１】本実施の形態１の撮像装置２００の断面図
【図２】本実施の形態１の撮像装置２００の要部断面図
【図３】圧接状態が解除された状態を説明する図
【図４】本実施の形態２の撮像装置３００の要部断面図
【図５】本実施の形態３の撮像装置４００の要部断面図
【図６】圧接状態が解除された状態を説明する図
【図７】特許文献１に記載の撮像装置の断面図
【図８】特許文献２に記載の撮像装置の断面図
【符号の説明】
【００７３】
１  駆動軸
２  圧電素子
３  保持部材
４  レンズ
５  ケース固定部
６  駆動機構固定部
７  振動減衰材
８  圧接面
９  電磁マグネット
１０  移動板
１１  ばね
１２  圧接手段固定部
１３  電子回路
１４  固定板
１５  形状記憶合金
２０１  レンズ保持部
２０２  駆動機構
２０３  ケース
２０４  画像処理ユニット
２０５  本体基板
【図１】
2008286991.tif 000003
【図２】
2008286991.tif 000004
【図３】
2008286991.tif 000005
【図４】
2008286991.tif 000006
【図５】
2008286991.tif 000007
【図６】
2008286991.tif 000008
【図７】
2008286991.tif 000009
【図８】
2008286991.tif 000010